(57)【要約】      （修正有）【課題】構造が簡単で、使用方法が柔軟で、便利で安全で多機能な電熱ダニ除去装置及びダニ除去機能を有するマットを提供する。【解決手段】電熱ダニ除去装置１００は、本体１を含み、本体内部に電熱加熱層１１が設けられ、電熱加熱層にサーモスタットアセンブリ２が接続され、サーモスタットアセンブリが電熱加熱層の加熱有無を制御し、本体は折り畳むことができる。マットは、電熱ダニ除去装置１００を含み、マットは折り畳むことができ、中袋及び外袋を含み、中袋は外袋と縁部で連結され、電熱ダニ除去装置の本体は、中袋と外袋との間に取り外し可能に設けられる。電熱ダニ除去装置及びマットの使用は、制御が柔軟で、安全で便利で簡単であり、各種衣服・日常品、綿布団等の乾燥、消毒、及びダニ除去をいつでも行うことができ、すぐれた実用性を有し省エネである。【選択図】図１
0003229368.tif 000002
【実用新案登録請求の範囲】
【請求項１】
本体を含む、電熱ダニ除去装置であって、前記本体内部に電熱加熱層が設けられ、前記電熱加熱層にサーモスタットアセンブリが接続され、前記サーモスタットアセンブリが前記電熱加熱層の加熱有無を制御することを特徴とする、電熱ダニ除去装置。
【請求項２】
前記本体が折り畳むことができ、前記本体に中から外へ順に、耐熱防火処理された柔らかい綿織物層、前記電熱加熱層、外側保温層、及び防水・耐擦傷の綿織物表面層が設けられていることを特徴とする、請求項１に記載の電熱ダニ除去装置。
【請求項３】
前記サーモスタットアセンブリが、ダニ除去加熱機能キー、タイマー、ＰＬＣコントローラ、音声発生器、温度閾値設定パネル、リアルタイム温度表示パネル、及び複数の温度センサを含み、前記ＰＬＣコントローラが、ダニ除去加熱機能キー、温度センサ、タイマーＰＬＣコントローラ、音声発生器、温度閾値設定パネル、及びリアルタイム温度表示パネルと電気的に接続し、前記温度センサが、前記電熱加熱層に接続され、それによって前記電熱加熱層の温度を検出し、検出した温度信号をＰＬＣコントローラに伝送し、
前記電熱ダニ除去装置を電熱ダニ除去する際、前記ＰＬＣコントローラが、温度センサにより、電熱加熱層の温度が設定されたダニ除去温度閾値に達したことを検出すると、時間を計るよう前記タイマーを制御し、時間が設定された加熱時間閾値に達する場合、加熱を停止するよう前記電熱加熱層を制御し、
前記ＰＬＣコントローラが、前記温度センサにより、前記電熱加熱層の温度が設定された安全閾値を超えたことを検出すると、前記ＰＬＣコントローラが、アラーム音声を発するよう音声発生器を制御することを特徴とする、請求項２に記載の電熱ダニ除去装置。
【請求項４】
前記電熱加熱層に外部電源プラグが接続され、前記外部電源プラグが外部電源に挿入接続され、それによって電熱加熱層を加熱し、前記電熱加熱層にさらに充電電池が接続され、前記充電電池に太陽光発電パネルが接続されていることを特徴とする、請求項３に記載の電熱ダニ除去装置。
【請求項５】
前記電熱加熱層が、抵抗線加熱層又はグラフェン加熱層であることを特徴とする、請求項４に記載の電熱ダニ除去装置。
【請求項６】
請求項５に記載の電熱ダニ除去装置を含む、電熱ダニ除去機能を有するマットであって、前記マットが折り畳むことができ、前記マットが中袋及び外袋を含み、前記中袋が外袋と縁部で連結され、前記ダニ除去装置の本体が、前記中袋と外袋との間に取り外し可能に設けられることを特徴とする、電熱ダニ除去機能を有するマット。
【請求項７】
前記マットに熱風機が接続され、前記マットが折り畳まれた後、前記熱風機が、前記マットが折り畳まれた後の空間につながり、前記マットが折り畳まれた後の空間内に風を吹き付けることを特徴とする、請求項６に記載の電熱ダニ除去機能を有するマット。
【請求項８】
前記熱風機にオゾン発生器が接続されていることを特徴とする、請求項７に記載の電熱ダニ除去機能を有するマット。
【請求項９】
前記マットが寝袋であり、前記サーモスタットアセンブリが睡眠加熱機能キーをさらに含み、
前記電熱ダニ除去装置を睡眠加熱機能に設定する場合、前記ＰＬＣコントローラが、温度センサにより、前記電熱加熱層の温度が設定閾値未満であることを検出すると、前記ＰＬＣコントローラが、加熱を継続するよう前記電熱加熱層を制御し、前記電熱加熱層の温度が閾値に達する場合、前記ＰＬＣコントローラが、加熱を停止するよう前記電熱加熱層を制御することを特徴とする、請求項６〜８のいずれか記載の電熱ダニ除去機能を有するマット。
【請求項１０】
前記マットが折り畳まれて収納ボックス又はトランクを形成できることを特徴とする、請求項６〜８のいずれか記載の電熱ダニ除去機能を有するマット。
【請求項１１】
前記マットが、互いに連結された箱体前面板、箱体後面板、箱体左側板、箱体右側板、箱体上側板、及び箱体下側板を含み、前記マットが折り畳まれた後、前記箱体前面板、箱体後面板、箱体左側板、箱体右側板、箱体上側板、及び箱体下側板の間がヒンジ、留め具、又はジッパーにより連結されて直方体状の箱体を形成することを特徴とする、請求項１０に記載の電熱ダニ除去機能を有するマット。
【請求項１２】
前記熱ダニ除去装置が、２枚の太陽光発電パネルを有し、前記２枚の太陽光発電パネルが、それぞれ前記箱体の箱体前面板及び箱体後面板上に設けられ、前記太陽光発電パネルの表面に保護板が設けられていることを特徴とする、請求項１１に記載の電熱ダニ除去機能を有するマット。
【考案の詳細な説明】
【技術分野】
【０００１】
本実用新案は、電熱ダニ除去技術分野に関し、特に電熱ダニ除去装置及び電熱ダニ除去機能を有するマットに関する。
【背景技術】
【０００２】
ダニは、太陽光の紫外線に最も弱いが、梅雨の季節又は長雨が続く地域に関しては、強い太陽光は毎日あるわけではなく、これらの地域の人々は、布団が適時に日干しされていないことに悩んでいる。したがって、使用環境、使用時間に邪魔されないダニ除去装置を提供することは、重要な研究意義及び経済的意義を有する。近年、科学研究所及び大企業もこのような装置を研究・開発しているが、これらの装置は、往々にして高価で、機能が比較的単一で、後のメンテナンス及び保守の費用が比較的高く、しかも自動化の程度が高くなく、人々の使用要求を満たすことができない。
【０００３】
寝袋は、例えば野外探索、旅行、野外作業等の屋外活動において必要不可欠な用具である。通常の袋は、睡眠に使用される機能のみを有するが、現在、電気寝袋並びに他の構造及び機能の寝袋も出現している。しかし、一般的には機能が比較的単一であり、構造が比較的簡単である。野外での環境は、例えば湿気、多くの虫、寒さ等、一般に比較的厳しく、しばしば人々の生活や勤務・休憩に多くの困難をもたらす。特にダニは、野外の湿気で非常に増えやすく、しかも寝袋及び衣服・日常品上で非常に成長・繁殖しやすく、人々の生活及び身体の健康に影響を及ぼす。したがって、ダニを駆除するための多機能を特に有する寝袋を提出することは、すぐれた有用性がある。そのうえ、ダニは高温で容易に殺せ、一般的には、５０℃の高温環境下で３０分以内にダニを殺すことができることが、研究でわかった。寝袋は、常用に非常に便利な生活用品であり、家で過ごそうと野外にいようと、自分自身及びいつも使う衣服・日常品に対してダニを除去するために用いることにも非常に適している。
【考案の概要】
【考案が解決しようとする課題】
【０００４】
従来技術におけるダニ除去装置に存在する上述の欠陥に対して、本実用新案の目的は、電熱ダニ除去装置及び電熱ダニ除去機能を有するマットを提供し、それによって従来のダニ除去装置が日常のダニ除去のニーズを満たすことができない問題を解決することにある。
【０００５】
本実用新案は構造が簡単で、使用が柔軟で便利で安全で、機能が多様といった特徴である。
【０００６】
本実用新案は、以下のような技術的解決策を採用する。
【課題を解決するための手段】
【０００７】
すなわち、電熱ダニ除去装置は、本体を含み、前記本体内部に電熱加熱層が設けられ、前記電熱加熱層にサーモスタットアセンブリが接続され、前記サーモスタットアセンブリは、前記電熱加熱層の加熱有無を制御する。
【０００８】
さらに、前記本体は折り畳むことができ、前記本体は中から外へ順に、耐熱防火処理された柔らかい綿織物層、前記電熱加熱層、外側保温層、及び防水・耐擦傷の綿織物表面層が設けられている。
【０００９】
さらに、前記サーモスタットアセンブリは、ダニ除去加熱機能キー、タイマー、ＰＬＣコントローラ、音声発生器、温度閾値設定パネル、リアルタイム温度表示パネル、及び複数の温度センサを含み、前記ＰＬＣコントローラは、ダニ除去加熱機能キー、温度センサ、タイマー、ＰＬＣコントローラ、音声発生器、温度閾値設定パネル、及びリアルタイム温度表示パネルと電気的に接続し、前記温度センサは、前記電熱加熱層に接続され、それによって前記電熱加熱層の温度を検出し、検出した温度信号をＰＬＣコントローラに伝送し、前記電熱ダニ除去装置を電熱ダニ除去する際、前記ＰＬＣコントローラは、温度センサにより、内側保温層の温度が設定されたダニ除去温度閾値に達したことを検出すると、時間を計るよう前記タイマーを制御し、時間が設定された加熱時間閾値に達する場合、加熱を停止するよう前記電熱加熱層を制御し、前記ＰＬＣコントローラが、前記温度センサにより、前記電熱加熱層の温度が設定された安全閾値を超えたことを検出すると、前記ＰＬＣコントローラは、アラーム音声を発するよう音声発生器を制御する。これにより、ダニ除去装置の自動ダニ除去機能を効果的に向上させ、ダニ除去効率を高める。
【００１０】
さらに、前記電熱加熱層に外部電源プラグが接続され、前記外部電源プラグが外部電源に挿入接続され、それによって電熱加熱層を加熱し、前記電熱加熱層にさらに充電電池が接続され、前記充電電池に太陽光発電パネルが接続されている。これにより、電源のない状況下でダニ除去装置を使用することができ、利便性を向上させる。
【００１１】
さらに、前記電熱加熱層は、抵抗線加熱層又はグラフェン加熱層である。
【００１２】
さらに、電熱ダニ除去機能を有するマットは、前記電熱ダニ除去装置を含み、そのうち、前記マットは折り畳むことができ、前記マットは中袋及び外袋を含み、前記中袋は外袋と縁部で連結され、前記ダニ除去装置の本体は、前記中袋と外袋との間に取り外し可能に設けられる。これにより、マットを十分に利用して、布団、衣服・日常品等の物品のダニ除去、消毒、乾燥を行うことができ、しかも使い勝手がよく、特に野外作業、探索、旅行等の屋外活動において、大きな利便を提供する。
【００１３】
さらに、前記マットに熱風機が接続され、前記マットが折り畳まれた後、前記熱風機は、前記マットが折り畳まれた後の空間につながり、前記マットが折り畳まれた後の空間内に風を吹き付ける。これにより、マットが折り畳まれた後の空間内に対して除湿・乾燥を行うことができ、ダニ除去効率を向上させる。
【００１４】
さらに、前記熱風機には、オゾン発生器又はマイナス空気イオン発生器が接続されている。これにより、マットが折り畳まれた後の空間内にオゾン又はマイナス空気イオンを注入することができ、これによって殺菌消毒機能を果たす。
【００１５】
さらに、前記マットは寝袋であり、前記サーモスタットアセンブリは睡眠加熱機能キーをさらに含み、前記電熱ダニ除去装置を睡眠加熱機能に設定する場合、前記ＰＬＣコントローラが、温度センサにより、前記電熱加熱層の温度が設定閾値未満であることを検出すると、前記ＰＬＣコントローラは、加熱を継続するよう前記電熱加熱層を制御し、前記電熱加熱層の温度が閾値に達すると、前記ＰＬＣコントローラは、加熱を停止するよう前記電熱加熱層を制御する。
【００１６】
さらに、前記マットは折り畳まれて収納ボックス又はトランクを形成することができる。
【００１７】
さらに、前記マットは、互いに連結された箱体前面板、箱体後面板、箱体左側板、箱体右側板、箱体上側板、及び箱体下側板を含み、前記マットが折り畳まれた後、前記箱体前面板、箱体後面板、箱体左側板、箱体右側板、箱体上側板、及び箱体下側板の間がヒンジ、留め具、又はジッパーにより連結されて直方体状の箱体を形成する。これにより、ダニ除去機能を有する箱体の取り外しに便利であり、箱体の素早い組み立て・折り畳みに都合がよい。
【００１８】
さらに、前記熱ダニ除去装置は、２枚の太陽光発電パネルを有し、前記２枚の太陽光発電パネルは、それぞれ前記箱体の箱体前面板及び箱体後面板上に設けられ、前記太陽光発電パネルの表面に保護板が設けられている。
【考案の効果】
【００１９】
本実用新案の有益な効果は、以下の通りである。
【００２０】
１．ダニ除去装置にサーモスタットアセンブリが設けられ、使用制御が柔軟で、安全で便利で簡単である。
【００２１】
２．ダニ除去装置が太陽エネルギー充電機能を有し、野外に電源がない条件下であっても、衣服・日常品の乾燥、消毒、及びダニ除去を行うことができ、すぐれた実用性を有し省エネである。
【００２２】
３．ダニ除去装置がベッドを暖める、ダニ除去・消毒、及び衣服・日常品、綿布団を乾燥する等の様々な機能を有することができる。
【００２３】
４．ダニ除去装置を有するマットを十分に利用して、布団、衣服・日常品等の物品の十分なダニ除去、消毒、乾燥を行うことができ、しかも使い勝手がよく、特にマットが寝袋に折り畳まれることは、野外作業、探索、旅行等の屋外活動に対して、大きな利便を提供する。
【００２４】
５．マットが折り畳まれてできた収納ボックス又はトランクは、携帯が便利で、出張、旅行中、野外作業時、いずれも収納用具にすることができ、衣服・日常品の消毒、乾燥、ダニ除去を行うこともでき、非常に便利である。
【図面の簡単な説明】
【００２５】
【図１】具体的な実施例一におけるダニ除去装置の構造概略図。
【図２】具体的な実施例二におけるマットの縦断面構造概略図。
【図３】具体的な実施例三におけるマットが寝袋に折り畳まれた後の構造概略図。
【図４】具体的な実施例四におけるマットの構造概略図。
【図５】具体的な実施例四におけるマットが箱体に折り畳まれた後の構造概略図。
【考案を実施するための形態】
【００２６】
以下で、全図面及び実施例に即して、本実用新案に対して以下の通り説明を行う。
【実施例１】
【００２７】
具体的な実施例一
【００２８】
図１を参照すると、本実用新案の具体的な実施例一において、電熱ダニ除去装置１００は本体１を含み、本体１の内部に電熱加熱層１１が設けられ、電熱加熱層１１にサーモスタットアセンブリ２が接続され、サーモスタットアセンブリ２は電熱加熱層１１の加熱有無を制御する。そのうち、図１における本体が示すのは、本体１の縦断面図である。明らかに、本体１の構造的形状は、ニーズに応じて様々に変化することができる。
【００２９】
そのうち、本実用新案の具体的な実施例一において、好ましくは、本体１は折り畳むことができ、これによって様々なタイプの物体内部に置いたり、又は自由に折り畳んで使用するのに適する。また、本体１は、中から外へ順に、耐熱防火処理された柔らかい綿織物層１２、電熱加熱層１１、外側保温層１３、及び防水・耐擦傷の綿織物表面層１４が設けられている。
【００３０】
好ましくは、本実用新案の具体的な実施例一において、サーモスタットアセンブリ２は、ダニ除去加熱機能キー２１、タイマー２２、ＰＬＣコントローラ２３、音声発生器２４、温度閾値設定パネル２５、リアルタイム温度表示パネル２６、及び複数の温度センサ２７を含む。
【００３１】
そのうち、ＰＬＣコントローラ２３は、ダニ除去加熱機能キー２１、温度センサ２７、タイマー２２、ＰＬＣコントローラ２３、音声発生器２４、温度閾値設定パネル２５、及びリアルタイム温度表示パネル２６と電気的に接続し、温度センサ２７は電熱加熱層１１に接続され、それによって電熱加熱層１３の温度を検出し、検出した温度信号をＰＬＣコントローラ２３に伝送するが、明らかに温度センサは複数設置されてもよい。
【００３２】
電熱ダニ除去装置を電熱ダニ除去する際、ＰＬＣコントローラ２３は、温度センサ２７により、電熱加熱層１１の温度が設定されたダニ除去温度閾値に達したことを検出すると、時間を計るようタイマー２２を制御し、時間が設定された加熱時間閾値に達する場合、加熱を停止するよう電熱加熱層１１を制御する。ＰＬＣコントローラ２３が、温度センサ２７により、電熱加熱層１１の温度が設定された安全閾値を超えたことを検出すると、ＰＬＣコントローラ２３は、アラーム音声を発するよう音声発生器２４を制御する。これにより、ダニ除去装置１００の自動ダニ除去機能を効果的に向上させ、ダニ除去効率を高め、使用安全性を向上させる。
【００３３】
好ましくは、電熱加熱層１１に外部電源プラグが接続され、外部電源プラグが外部電源に挿入接続され、それによって電熱加熱層１１を加熱し、電熱加熱層１１にさらに充電電池が接続され、充電電池に太陽光発電パネルが接続されている。これにより、電源のない状況下でダニ除去装置を使用することができ、利便性を向上させる。
【００３４】
本実施例一において、電熱加熱層１１は、好ましくは抵抗線加熱層又はグラフェン加熱層である。
【００３５】
本実施例一における電熱ダニ除去装置１００のダニ除去温度は５０−８０℃、ダニ除去時間は２０−８０分であり、所在環境の温度の高低により調整を行う。冬の設定温度及び時間は比較的高い値を取り、夏は比較的低い値を取る。
【実施例２】
【００３６】
具体的な実施例二
【００３７】
図２に示すように、本実用新案の具体的な実施例二において、電熱ダニ除去機能を有するマット、２００は、前記具体的な実施例一における電熱ダニ除去装置１００を含む。そのうち、マット２００は折り畳み可能な形状であり、マット２００は中袋２０１及び外袋２０２を含み、中袋２０１は外袋２０２と縁部で連結され、ダニ除去装置１００の本体１は、中袋２０１と外袋２０１との間に取り外し可能に設けられる。これにより、マット２００を十分に利用して、布団、衣服・日常品等の物品のダニ除去、消毒、乾燥を行うことができ、しかも使い勝手がよく、特に野外作業、探索、旅行等の屋外活動において、大きな利便を提供する。
【００３８】
好ましくは、図３又は図５に示すように、マット２００が折り畳まれた後、さらに熱風機２０３が接続されていてもよく、マット２００が折り畳まれた後、熱風機２０３は、マット２００が折り畳まれた後の空間につながり、マット２００が折り畳まれた後の空間内に風を吹き付ける。これにより、マット２００が折り畳まれた後の空間内に対して除湿・乾燥を行うことができ、ダニ除去効率を向上させる。
【００３９】
図３又は図５に示すように、マット２００が折り畳まれた後の空間内に効果的な殺菌消毒を行わせるために、熱風機２０３には、さらにオゾン発生器又はマイナス空気イオン発生器２０４が接続されていてもよい。これにより、熱風機２０３によってマットが折り畳まれた後の空間内にオゾン又はマイナス空気イオンを注入して殺菌消毒を行うことができる。
【実施例３】
【００４０】
具体的な実施例三
【００４１】
本実施例三における寝袋３００が接続する電熱ダニ除去装置１００は、実施例一と同じであり、マット２００は、実施例二におけるマット２００と同じである。
【００４２】
本実用新案の具体的な実施例二において、図３又は図４に示すマット２００は、好ましくは寝袋３００であり、そのうち、マット２００が寝袋である場合、サーモスタットアセンブリ２は睡眠加熱機能キー２８をさらに含み、電熱ダニ除去装置１００を睡眠加熱機能に設定する場合、ＰＬＣコントローラ２３が、温度センサ２７により、電熱加熱層１１の温度が設定閾値未満であることを検出すると、ＰＬＣコントローラ２３は、加熱を継続するよう電熱加熱層１１を制御し、電熱加熱層１１の温度が閾値に達する場合、ＰＬＣコントローラ２３は、加熱を停止するよう電熱加熱層１１を制御する。
【００４３】
これにより、ダニ除去が必要な衣服・日常品等を寝袋３００に入れてダニ除去を行ったり、又は寝袋３００に直接ダニ除去を行ったりすることができる。寝袋３００を十分に利用して、布団、衣服・日常品等の物品のダニ除去、消毒、乾燥を行うことができ、しかも使い勝手がよく、特に野外作業、探索、旅行等の屋外活動において、大きな利便を提供する。
【００４４】
本実施例三における電熱ダニ除去装置１００のダニ除去温度は６０−８０℃、ダニ除去時間は２０−８０分、睡眠加熱温度は１５−２５度であり、所在環境の温度の高低により調整を行う。冬の設定温度及び時間は比較的高い値を取り、夏は比較的低い値を取る。
【実施例４】
【００４５】
具体的な実施例四
【００４６】
本実施例四における収納ボックス又はトランク４００が接続する電熱ダニ除去装置１００は、実施例一と同じであり、マット２００は、実施例二におけるマット２００の構造と同じである。
【００４７】
本実用新案の具体的な実施例四において、図４又は図５に示すマット２００は、折り畳まれて、収納ボックス又はトランク４００を形成することができる。
【００４８】
そのうち、マット２００は、互いに連結された箱体前面板４０１、箱体後面板４０２、箱体左側板４０３、箱体右側板４０４、箱体上側板４０５、及び箱体下側板４０６を含み、本実施例四におけるマット２００が折り畳まれた後、図５に示すように、箱体前面板４０１、箱体後面板４０２、箱体左側板４０３、箱体右側板４０４、箱体上側板４０５、及び箱体下側板４０６の間がヒンジ、留め具、又はジッパーにより連結されて直方体状の箱体を形成する。これにより、ダニ除去機能を有する収納ボックス又はトランク４００の取り外しが便利であり、箱体の素早い組み立て・折り畳みに都合がよい。
【００４９】
箱体前面板４０１、箱体後面板４０２、箱体左側板４０３、箱体右側板４０４、箱体上側板４０５、及び箱体下側板４０６の間は、互いにヒンジ、留め具、又はジッパーで連結され、その連結方式は、例えば、閉じるとちょうど１つの長さ・幅・厚さが５０ｃｍ×４０ｃｍ×１５ｃｍの直方体の収納ボックス又はトランクを形作る箱体であってもよいし、明らかに他のサイズの箱体であってもよい。当該６枚のパネルは、同じ長方形の箱体前面板４０１、箱体後面板４０２、同じ細長い長方形の箱体左側板４０３及び箱体右側板４０４、同じ細長い長方形の箱体上側板４０５及び箱体下側板４０６であり、箱体上側板４０５の中間に取っ手４０７がさらに設けられていてもよい。
【００５０】
そのうち、本発明の具体的な実施例四において、電熱ダニ除去装置１００は、好ましくは２枚の太陽光発電パネル４０８を有し、当該２枚の太陽光発電パネル４０８は、それぞれ箱体前面板４０１及び箱体後面板４０２上に設けられ、太陽光発電パネル４０８は、電熱ダニ除去装置１００の充電電池と充電接続し、必要に備えるために日中に太陽エネルギーを獲得するのに用いられ、また、太陽光発電パネル４０８は、箱体前面板４０１及び箱体後面板４０２上にあり、圧壊を防止するために、太陽光発電パネル４０８の表面に保護板が設けられてもよい。
【００５１】
本実施例四において、電熱ダニ除去装置１００の通常のダニ除去温度は５０−６０℃、ダニ除去時間は４０−６０分であり、トランクの所在環境の温度の高低により調整を行う。
【００５２】
冬の設定温度及び時間は比較的高い値を取り、夏は比較的低い値を取る。
【００５３】
本実用新案の基本的な構造を逸脱しない前提で、様々な改良及び変更の技術的解決策をさらに行うことができるが、これらの細部のみ異なる改良及び変更の技術的解決策も、本特許の保護範囲内にあることを、指摘するべきである。
【図１】
0003229368.tif 000003
【図２】
0003229368.tif 000004
【図３】
0003229368.tif 000005
【図４】
0003229368.tif 000006
【図５】
0003229368.tif 000007